【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
赤外線（ＩＲ）、可視光線又は紫外線の波長範囲内の光を発するための少なくとも１つの第一の光源と、
光を検出するための少なくとも１つの光検出器と、
前記人体の腫瘍部位へ又は腫瘍部位から光を伝導するのに適する複数の光ファイバであり、該光ファイバが、使用中前記腫瘍部位の腫瘍を治療又は診断するために前記腫瘍部位へ又は腫瘍部位から光を伝導するためのトランスミッタ又はレシーバとして使用される、複数の光ファイバとを備えている、人間の双方向型組織内光力学又は光熱腫瘍治療又は腫瘍診断のためのシステムにおいて、
該システムが、
少なくとも１つのディストリビュータが少なくとも前記第一の光源から前記腫瘍部位へ前記光を供給するのに適し、該ディストリビュータが、前記複数の光ファイバが取り付けられておりかつ前記光検出器へ前記光を送るため又は前記光源から前記光を受け取るために対応する結合素子を使って前記光ファイバを整合するために予め決められたポジション間で縦並進素子を縦並進移動させることによって該システムの診断又は治療モードのために前記光ファイバへ又は前記光ファイバから様々な配置で光が結合されるように配列される少なくとも１つの縦並進素子を備えていることを特徴とする、システム。
【請求項２】
該システムが前記光ファイバのうち少なくとも１本を通って前記ディストリビュータを経て前記縦並進素子及び前記相対する結合素子を経て前記腫瘍部位へ治療用光線を放出するために少なくとも１つの第二の光源を備えている、請求項１に記載のシステム。
【請求項３】
複数の第一の光ファイバが前記腫瘍部位へ又は前記腫瘍部位から光を伝導するために配列され、
複数の第二の光ファイバが少なくとも１つの光源から光を送るため又は前記少なくとも１つの光検出器へ光を送るために配列されることを特徴とし、かつ
前記ディストリビュータが少なくとも１つの光源から前記腫瘍部位へかつ／又は前記腫瘍部位から前記少なくとも１つの光検出器へ光を供給するためのディストリビュータであり、前記相対する結合素子が、第二の縦並進素子であり、前記並進素子の一方を予め決められたポジション間で他方の前記並進素子に対して相対的に並進移動させることによって光が様々な配置で結合されるように配列される、請求項１又は２に記載のシステム。
【請求項４】
各並進素子が前記光ファイバを受けるために配列される孔を有し、かつ前記２つの並進素子の対応する孔が直線上に等間隔に配列されることを特徴とし、かつ前記並進素子が並進素子間で光を送るように構成される、請求項３に記載のシステム。
【請求項５】
前記第一の光ファイバの第一の端が並進移動素子の前記孔に固定され、第二の光ファイバの第一の端が前記第二の並進素子の前記孔に固定され、前記第一及び前記第二の光ファイバが前記縦並進移動素子及び前記第二の並進素子の予め決められたポジション間における相互に対して相対的な縦並進移動によって様々な配置で相互に接続可能であることを特徴とする、請求項４に記載のシステム。
【請求項６】
さらに、相互に近接する２枚の平らなディスクを備え、前記ディスクが相互に対して相対的に回転可能であり、
各ディスクが円形ライン上に配列される孔を有し、一方のディスクの円半径が他方のディスクの円半径に等しく、一方のディスクの前記孔がｖ１＝（３６０／ｎ１）度の角度間隔で円形ライン上に均等に供給され、ｎ１は孔の数であり、かつ他方のディスクの前記孔がｖ２＝（３６０／ｎ２）度の角度間隔で円形ライン上に均等に供給され、ｎ２＝ｍ×ｎ１であり、ｍは倍数であり、ｎ２は１以上の整数となることを特徴とし、
第三の光ファイバの第一の端が前記第一のディスクの前記孔に固定され、第四の光ファイバの第一の端が１つを除いて前記第二のディスクの全ての孔に固定され、それによって、前記第三及び第四の光ファイバが他方のディスクに対して相対的な前記回転可能ディスクの回転によって様々な配置で相互に接続可能であり、
かつ前記縦並進素子が実質的に半径方向外向きに移動可能に配列され、前記複数の第一の光ファイバを前記第三のファイバのうちの１本に結合するために前記他方のディスクと統合される、請求項１に記載のシステム。
【請求項７】
ｎ１が前記ディストリビュータの前記第一のディスクの孔の数であり、ｎ１＝６、ｍ＝２であり、前記ディストリビュータの前記第二のディスクの孔がｎ２＝１２となる、ことを特徴とする請求項６に記載のシステム。
【請求項８】
１つおきの第四の光ファイバが第四の光ファイバの第一の系列に属し、かつ前記第四の光ファイバの前記第一の系列に属する１本の光ファイバが前記光源からの光を放出するように配列され、前記第四の光ファイバの前記第一の系列に属するその他の光ファイバが前記光検出器へ光を送るように配列されることを特徴とする、請求項６又は７に記載のシステム。
【請求項９】
前記他方のディスクの前記縦並進素子が診断用光源のうちの１つを前記第一のディスクの前記第三の光ファイバのうちの１本に結合するように前記第一の光ファイバが診断用光源に接続されることを特徴とする請求項７又は８に記載のシステム。
【請求項１０】
前記診断用光源がビームスプリッタを備えていることを特徴とする請求項１〜９のいずれか１項に記載のシステム。
【請求項１１】
光ファイバが二色ビームスプリッタと前記光検出器との間に配列されることを特徴とする請求項１０に記載のシステム。
【請求項１２】
前記腫瘍部位へ光を送る光ファイバと同じ光ファイバを通じて蛍光が記録されることを特徴とする請求項１１又は１２に記載のシステム。
【請求項１３】
前記第三の光ファイバの第二の端が温度感受蛍光発光材料によって処理されることを特徴とする請求項１に記載のシステム。
【請求項１４】
前記第四の光ファイバが１本おきに、前記光源からの光を放出するように配列される第四の光ファイバの第二の系列に属することを特徴とする請求項６又は７に記載のシステム。
【請求項１５】
前記治療用光源が単一の固定波長のコヒーレント光用の光源であることを特徴とする、請求項２〜１４のいずれか１項に記載のシステム。
【請求項１６】
前記ディストリビュータが光線ディストリビュータを予め決められた横及び／又は方位角ポジションにロックするための手段を有することを特徴とする請求項１〜１５のいずれか１項に記載のシステム。
【請求項１７】
温度感受蛍光発光材料で処理される前記光ファイバのうち１本又は数本が使用中前記腫瘍部位の温度を測定し、
前記腫瘍部位に送られる光が使用中前記腫瘍部位を加熱し、かつ
個々の光ファイバにおいて前記腫瘍部位の温度を調節するために前記光の強さが測定温度によって制御可能であることを特徴とする、請求項１３に記載のシステム。
【請求項１８】
前記縦並進移動素子が光学スレッジであることを特徴とする、請求項１〜１７のいずれか１項に記載のシステム。
【請求項１９】
前記光線ディストリビュータの前記素子を相互に対して相対的に動かすための少なくとも１台のステッピング・モーター又は少なくとも１つのサーボ・システムを特徴とする、請求項１〜１８のいずれか１項に記載のシステム。
【請求項２０】
前記動作モードが、双方向型組織内光力学腫瘍治療、温熱療法を用いる光熱腫瘍治療及び腫瘍診断から成るリストに含まれるシステムのモードであり、これらの動作モードが使用中前記腫瘍部位の同一処置中に切り換えられることを特徴とする、請求項１〜１９のいずれか１項に記載のシステム。
【請求項２１】
該システムの前記動作モードが、
１つの診断用光源が第一の縦並進素子を経て前記部位へ診断用光線を送る前記第一の光ファイバに結合され、残りの第一の光ファイバが光検出器に結合される、診断動作モードと、
前記治療用光源が前記部位へ診断用光線を送る前記第一の光ファイバに結合される、治療動作モードとを備えていることを特徴とする、請求項２〜２０のいずれか１項に記載のシステム。
【請求項２２】
少なくとも１つの第二の縦並進素子が前記動作モード間で切り換えることを特徴とする請求項２１に記載のシステム。
【請求項２３】
第三の縦並進素子が前記第二の縦並進素子から前記光検出器への複数の光ファイバ間で切り換えるように構成されることを特徴とする、請求項２３に記載のシステム。
【請求項２４】
少なくとも１つの光検出器及び複数の光ファイバが腫瘍部位に接続され、前記光ファイバが、前記腫瘍部位における腫瘍の診断及び治療のために前記腫瘍部位へかつ／又は腫瘍部位から光を伝導するためのトランスミッタ又はレシーバとして使用される、人間以外の動物の双方向型組織内光力学腫瘍治療又は光熱腫瘍治療及び腫瘍診断のための方法において、
該方法が、
腫瘍治療と腫瘍診断との間の切換えが、請求項１〜２３のいずれか１項に記載のシステムに含まれる光線ディストリビュータによって異なる配置間で光ファイバを切り換えることによって自動的に行われ、かつ
前記腫瘍部位の最適の治療が得られるまで診断の結果に応じて治療用光線の強さを調節することによって前記診断の結果が前記治療プロセスを制御することを特徴とする方法。
【請求項２５】
前記腫瘍部位の同一処置中に双方向型組織内光力学腫瘍治療、温熱療法を用いる光熱腫瘍治療及び腫瘍診断を交互に利用することを特徴とする、請求項２４に記載の方法。